(57)【要約】【課題】周囲への騒音を低減しつつ基礎の設置面積を削減する。【解決手段】基礎１０と、基礎１０上に載置された架台１２０と、架台１２０上に載置された防振部材１４０と、防振部材１４０上に載置された静止誘導機器本体１１０と、架台１２０の外周面から外側に延びて設けられ、基礎１０の外周面より外側まで達する支持部と、支持部に少なくとも一部が支持され、静止誘導機器本体１１０を収容し、平面視にて基礎１０を包囲している防音カバー１５０とを備える。【選択図】図１
2015159227.tif 000002
【特許請求の範囲】
【請求項１】
基礎と、
前記基礎上に載置された架台と、
前記架台上に載置された防振部材と、
前記防振部材上に載置された静止誘導機器本体と、
前記架台の外周面から外側に延びて設けられ、前記基礎の外周面より外側まで達する支持部と、
前記支持部に少なくとも一部が支持され、前記静止誘導機器本体を収容し、平面視にて前記基礎を包囲している防音カバーとを備える、静止誘導機器。
【請求項２】
前記支持部は、前記架台の前記外周面に対して着脱自在に取り付けられている、請求項１に記載の静止誘導機器。
【請求項３】
前記支持部は、前記架台の周方向において互いに隙間を開けて前記架台の前記外周面に取り付けられて前記防音カバーを支持する複数の支持部材を含み、
前記防音カバーは、前記支持部材上に位置する基底部を含み、
前記基底部は、前記支持部材同士の間の前記隙間を塞いでいる、請求項１または２に記載の静止誘導機器。
【請求項４】
前記防音カバーは、前記静止誘導機器本体の四方を囲む壁パネル、該壁パネルの上端に接続される天井パネル、および、該壁パネルの下端に接続されて前記基底部を構成する底パネルを含む、請求項３に記載の静止誘導機器。
【発明の詳細な説明】
【技術分野】
【０００１】
本発明は、静止誘導機器に関し、特に、大型の静止誘導機器に関する。
【背景技術】
【０００２】
防音タンクを備えつつ据付面積の削減が図られた静止誘導機器を開示した先行文献として、特開昭６０−１３８９０６号公報(特許文献１)がある。特許文献１に記載された静止誘導機器においては、本体タンクの周囲を防音タンクで囲んでいる。本体タンクの底板を本体タンクの側板より外方へ延ばし、この底板延長部上に弾性体を介して防音タンクを組み立てている。
【先行技術文献】
【特許文献】
【０００３】
【特許文献１】特開昭６０−１３８９０６号公報
【発明の概要】
【発明が解決しようとする課題】
【０００４】
特許文献１に記載された静止誘導機器においては、基礎コンクリートの上方に防音タンクが配置されている。静止誘導機器が設置される場所の地形的な条件によっては、基礎コンクリートの設置面積を確保することが困難な場合がある。
【０００５】
本発明は上記の問題点に鑑みてなされたものであって、周囲への騒音を低減しつつ基礎の設置面積を削減できる静止誘導機器を提供することを目的とする。
【課題を解決するための手段】
【０００６】
本発明に基づく静止誘導機器は、基礎と、基礎上に載置された架台と、架台上に載置された防振部材と、防振部材上に載置された静止誘導機器本体と、架台の外周面から外側に延びて設けられ、基礎の外周面より外側まで達する支持部と、支持部に少なくとも一部が支持され、静止誘導機器本体を収容し、平面視にて基礎を包囲している防音カバーとを備える。
【発明の効果】
【０００７】
本発明によれば、周囲への騒音を低減しつつ基礎の設置面積を削減できる。
【図面の簡単な説明】
【０００８】
【図１】本発明の一実施形態に係る静止誘導機器の構成を示す断面図である。
【図２】図１の静止誘導機器を矢印ＩＩ方向から見た平面図である。
【発明を実施するための形態】
【０００９】
以下、本発明の一実施形態に係る静止誘導機器について図面を参照して説明する。以下の実施形態の説明においては、図中の同一または相当部分には同一符号を付して、その説明は繰り返さない。なお、静止誘導機器としては、変圧器およびリアクトルなどが含まれる。
【００１０】
図１は、本発明の一実施形態に係る静止誘導機器の構成を示す断面図である。図２は、図１の静止誘導機器を矢印ＩＩ方向から見た平面図である。図１においては、後述する防音カバー１５０を透視して示している。図２においては、説明の便宜上、後述する、基礎１０、架台１２０、支持部材１３０および防音カバー１５０のみを図示している。
【００１１】
図１，２に示すように、静止誘導機器１００は、基礎１０と、基礎１０上に載置された架台１２０と、架台１２０上に載置された防振部材１３０と、防振部材１３０上に載置された静止誘導機器本体１１０と、架台１２０の外周面から外側に延びて設けられ、基礎１０の外周面より外側まで達する支持部と、支持部に少なくとも一部が支持され、静止誘導機器本体１１０を収容し、平面視にて基礎１０を包囲している防音カバー１５０とを備える。
【００１２】
基礎１０は、コンクリートにて形成されている。本実施形態においては、基礎１０は、平面視にて矩形状の外形を有している。基礎１０の上面は、平坦である。
【００１３】
架台１２０は、鉄板にて形成されている。架台１２０は、１枚の鉄板にて形成されていてもよいし、複数の鉄板が相互に組み合わされて形成されていてもよい。本実施形態においては、架台１２０は、平面視にて、基礎１０より僅かに小さい矩形状の外形を有している。架台１２０の上面は、平坦である。
【００１４】
本実施形態においては、架台１２０の外周面に対して、支持部が着脱自在に取り付けられている。具体的には、架台１２０の外周部に、支持部を頭付ボルトによって締結固定するための図示しない複数の雌ネジ部が設けられている。
【００１５】
ただし、架台１２０と支持部との取付方法は、頭付ボルトを用いた締結固定に限られず、架台１２０に支持部を嵌め込む嵌合固定などでもよい。架台１２０と支持部とが、取り外し不能に一体で構成されていてもよい。
【００１６】
防振部材１４０は、ゴムまたはバネなどの弾性体を含む。本実施形態においては、防振部材１４０は、クロロプレンゴムを主材料とする防振パッドである。防振部材１４０によって、静止誘導機器本体１１０から架台１２０への振動の伝播が抑制される。
【００１７】
静止誘導機器本体１１０は、図示しない鉄心と、鉄心に巻き回された図示しない巻線と、鉄心および巻線を収容するタンクとを含む。タンクは、下部タンク１１１、および、下部タンク１１１上に載置された上部タンク１１２を含む。タンクの内部には、絶縁油が充填されている。
【００１８】
静止誘導機器本体１１０に隣接して、絶縁油を冷却する冷却器１７０が配置されている。下部タンク１１１には、内部を絶縁油が流れる配管１６０が接続されている。タンクの内部と冷却器１７０の内部とは、配管１６０を通じて繋がっている。
【００１９】
本実施形態においては、支持部は、架台１２０の周方向において互いに隙間を開けて架台１２０の外周面に取り付けられて防音カバー１５０を支持する複数の支持部材１３０を含む。
【００２０】
支持部材１３０は、鉄片にて構成されている。支持部材１３０の上面は、平坦である。支持部材１３０は、架台１２０から離れるに従って薄くなっている。ただし、支持部材１３０は、鉄片に限られず、防音カバー１５０を支持可能な強度を有する部材であればよく、たとえば、ＦＲＰ(Fiber Reinforced Plastics)製の板でもよい。
【００２１】
支持部材１３０には、図示しない貫通孔が設けられている。頭付ボルトの軸部を支持部材１３０の貫通孔に挿通して架台１２０の雌ネジ部に締め込むことにより、支持部材１３０が架台１２０の外周面と頭付ボルトの頭部とに挟まれて架台１２０に固定される。
【００２２】
上記のように、架台１２０と支持部との取付方法は、頭付ボルトを用いた締結固定に限られず、たとえば、架台１２０の外周部に、鉄片の一部を圧入可能な凹部が形成されており、架台１２０の凹部に支持部材１３０を嵌め込むことにより、支持部材１３０を架台１２０に嵌合固定してもよい。または、溶接によって支持部材１３０を架台１２０に固定してもよい。さらに、支持部および架台１２０が１つの鉄板から形成されていてもよい。
【００２３】
本実施形態においては、支持部に防音カバー１５０が着脱自在に取り付けられている。防音カバー１５０は、静止誘導機器本体１１０の四方を囲む４つの壁パネル１５１、壁パネル１５１の上端に接続される天井パネル１５２、および、壁パネル１５１の下端に接続される４つの底パネル１５３を含む。
【００２４】
壁パネル１５１、天井パネル１５２および底パネル１５３のうちの互いに隣接するパネル同士は、防音カバー１５０の外面側においてボルトにて締結固定されている。底パネル１５３と支持部材１３０とが、ボルトにて締結固定されている。
【００２５】
壁パネル１５１、天井パネル１５２および底パネル１５３の各々において、防音カバー１５０の内面側に位置する一方の面には、吸音材が貼り付けられている。吸音材は、たとえば、グラスウールまたはロックウールなどの細い繊維が板状に成形されて構成されている。
【００２６】
底パネル１５３は、支持部材１３０上に位置して、支持部材１３０同士の間の隙間を塞いでいる。底パネル１５３は、防音カバー１５０の基底部を構成している。防音カバー１５０が基底部を含むことにより、静止誘導機器本体１１０から発生した騒音が、防音カバー１５０の下方から外部に漏れることを抑制できる。
【００２７】
防音カバー１５０と静止誘導機器本体１１０との間には、静止誘導機器本体１１０から発生した騒音が定在波にならない距離の間隔が確保されている。壁パネル１５１には、配管１６０を通過させる貫通溝が設けられている。貫通溝は、壁パネル１５１の下端から上方に延びている。防音カバー１５０は、壁パネル１５１の貫通溝と配管１６０との隙間を塞ぐ目張り１５４をさらに含む。
【００２８】
図２に示すように、天井パネル１５２は、平面視にて、基礎１０より大きい矩形状の外形を有している。天井パネル１５２は、基礎１０の全体を覆っている。これにより、防音カバー１５０は、平面視にて基礎１０を包囲している。
【００２９】
ただし、防音カバー１５０の構成は上記に限られず、支持部に少なくとも一部が支持され、静止誘導機器本体１１０を収容し、平面視にて基礎１０を包囲していればよい。
【００３０】
上記のように、平面視にて基礎１０より大きな防音カバー１５０を支持部にて支持することにより、静止誘導機器１００の周囲への騒音を低減しつつ基礎１０の設置面積を削減できる。これにより、地形的に基礎１０の設置面積が限られる場所においても、静止誘導機器１００を設置することが可能となる。基礎１０の設置面積を削減することにより、静止誘導機器１００の設置コストを低減することができる。
【００３１】
また、防音カバー１５０を複数のパネルにて構成し、防音カバー１５０を支持部に着脱自在に取り付けているため、防音カバー１５０を静止誘導機器１００の設置場所にて組み立てて取り付けることができるとともに、防音カバー１５０を他の静止誘導機器に転用することも可能である。
【００３２】
さらに、支持部を架台１２０に着脱自在に取り付けることにより、支持部を静止誘導機器１００の設置場所にて架台１２０に取り付けることができる。これにより、架台１２０の輸送を容易にすることができる。また、静止誘導機器１００の設置場所の形状に合わせて、支持部を構成することができる。具体的には、互いに異なる形状の支持部材１３０を、設置場所の形状に合わせて、架台１２０に取り付けることができるとともに、他の配管などとの取り合いによって配置できない支持部材１３０を、架台１２０から取り外すことができる。
【００３３】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００３４】
１０  基礎、１００  静止誘導機器、１１０  静止誘導機器本体、１１１  下部タンク、１１２  上部タンク、１２０  架台、１３０  支持部材、１４０  防振部材、１５０  防音カバー、１５１  壁パネル、１５２  天井パネル、１５３  底パネル、１５４  目張り、１６０  配管、１７０  冷却器。
【図１】
2015159227.tif 000003
【図２】
2015159227.tif 000004